(57)【特許請求の範囲】
【請求項１】
足を載せるためのペダル部を操作子として有し、このペダル部が踏み込まれた時に特定のスイッチをオン状態とする一方、それ以外の時には前記特定のスイッチをオフ状態とするように構成されたペダル部付き音楽用装置において、
前記ペダル部の内で足を載せた時のつま先に対応する部分である特定部分をペダル部の踏み込み状態に係わらず照明する照明機構を備え、
前記照明機構は、
当該装置の内部に設けられ光を発する発光手段と、この発光手段からの光を前記特定部分に導くためのレンズとを備え、このレンズはペダルの踏み込み状態がいかなる状態であっても、前記発光手段からの光を前記特定部分に導きこの特定部分を視認容易に構成し、
前記特定部分は、前記レンズの前記発光手段からの光を受けて光を放射する側の上面端部で構成され、前記特定部分は前記ペダル部の外観視可能な部分の内の一部となっており、
前記レンズの上記上面端部は平面加工が施されて、前記上面端部の面と前記ペダル部の表面とが同一平面となるようにされていると共に、前記レンズの下面端部は前記発光手段からの光を散乱させる加工が施されていることを特徴とするペダル部付き音楽用装置。
【発明の詳細な説明】
【技術分野】
【０００１】
本発明は、足を載せるペダル部を操作子として有するペダル部付き音楽用装置の改良に関する。
【背景技術】
【０００２】
従来から、電子機器等のパネルを内部から照明するための構造が多数提案されていた。例えば、光を導く導光部の下面中央部に光源を配置し、この導光部の上面を上方に凸に形成しその上にパネルを設け、そして、パネルに設けられるスイッチ等を導光部の近くに配置することによって、光源規模を縮小させてパネル内部のスペースを有効に利用できるもの等が提案されてきた（例えば、特許文献１参照）。
【０００３】
【特許文献１】特開２００３−１８７６０６号公報（第１−３頁、第４図）
【発明の開示】
【発明が解決しようとする課題】
【０００４】
しかしながら、従来の照明構造では、せいぜい手で操作可能な各種の操作子を照明する程度のものであった。したがって、例えば、足を使用して操作するためのペダル等に対して、足の踏み込み位置等を視認容易に照明する構造には適用できなかった。このペダルを操作子として使用する装置としてはエフェクタ等の音楽用装置が挙げられ、演奏者はコンサートホール内の暗闇において、ペダル位置を常時把握し演奏をするにはそれなりの技量が備わっていなければならないこと等が問題であった。
【０００５】
本発明は、かかる従来の課題を解決するためになされたもので、ペダル部の踏み込み状態に係わらずペダル部の位置を視認容易とした音楽用装置を提供することを目的とする。
【課題を解決するための手段】
【０００６】
上記目的を達成するために、本発明は、足を載せるためのペダル部を操作子として有し、このペダル部が踏み込まれた時に特定のスイッチをオン状態とする一方、それ以外の時には前記特定のスイッチをオフ状態とするように構成されたペダル部付き音楽用装置において、
前記ペダル部の内で足を載せた時のつま先に対応する部分である特定部分をペダル部の踏み込み状態に係わらず照明する照明機構を備え、
前記照明機構は、
当該装置の内部に設けられ光を発する発光手段と、この発光手段からの光を前記特定部分に導くためのレンズとを備え、このレンズはペダルの踏み込み状態がいかなる状態であっても、前記発光手段からの光を前記特定部分に導きこの特定部分を視認容易に構成し、
前記特定部分は、前記レンズの前記発光手段からの光を受けて光を放射する側の上面端部で構成され、前記特定部分は前記ペダル部の外観視可能な部分の内の一部となっており、
前記レンズの上記上面端部は平面加工が施されて、前記上面端部の面と前記ペダル部の表面とが同一平面となるようにされていると共に、前記レンズの下面端部は前記発光手段からの光を散乱させる加工が施されていることを特徴とするようにした。
【０００７】
この発明によれば、装置の内部に設けられた発光手段からの光を、ペダル部の外観視可能な部分の内の一部であって、且つ、ペダル部に足を載せた時のつま先に対応する部分である特定部分に導くための光学素子とを備え、この光学素子はペダルの踏み込み状態がいかなる状態であっても、発光手段からの光を特定部分に導びくようにしたので、ペダル部の踏み込み状態に係わらずペダル部の位置を視認容易とすることが可能となる。
【０００８】
更に、上記ペダル部付き音楽用装置において、入力される楽音信号の周波数と設定された周波数との差の大きさに応じて前記発光手段を点滅制御する点滅制御モードに移行可能に構成することもできる。
【発明の効果】
【０００９】
本発明によれば、ペダル部の踏み込み状態に係わらずペダル部の位置を視認容易とした音楽用装置を提供することできるという効果が得られる。更に、この装置において、楽器のチューニングにおけるガイダンス機能を持たせることが可能になる。
【発明を実施するための最良の形態】
【００１０】
以下、本発明を実施するための最良の形態を図面を参照しつつ説明する。
【００１１】
以下の説明は音楽用装置の一例としてのエフェクタ機能やチューニング機能を備えたマルチエフェクタ１を採用して行う。つまり、本発明は足を載せるためのフットペダルを操作子として用いる各種の音楽用装置に適用可能である。
【００１２】
図１はマルチエフェクタ１の平面図である。図２はスイッチオフの時とスイッチオンの時における図１のＡＡ断面図である。なお、外観斜視図は描いていないがこの装置１は略直方体の箱状となっている。もちろん外観形状はこの例に限られない。
【００１３】
図１に示すようにマルチエフェクタ１の平面視中央部（図中央部）には、音色調整のファンクションを選択するためのつまみ３０、所要の数字等を表示する表示器２０、および、音色調整用のつまみ３５が、横方向一列に並んだ状態で設けられている。そして、その手前側（図面下側）には、左右一対のペダル部１０ａ、１０ｂが設けられており、その先端部には長方形状の照明部４０ａ、４０ｂが設けられている。なお、この照明部４０ａ、４０ｂはレンズ４０の上面を平面状に加工したそのものを露出して設けてもよいし、レンズ４０の上面に光を通し易い薄肉の部材を設けるようにしても良い。
【００１４】
次に、図２を参照して装置１の構成や作用について説明する。図２においてその固定部を不図示とした基板１００が図面左右方向に延びていて、基板１００の上面にはＬＥＤチップ５０、スイッチ６０が固定されている。一方、ペダル部１０（１０ａ、１０ｂ）は、それに足を載せた時につま先側となる先端部が、筐体内部上面に固定された固定部材９０の凸部と嵌り合う構成とすることで、ペダル部１０の先端部は装置筐体に固定されている。このペダル部１０の先端側には、固定部材９０の凸部と干渉しないような位置に横薄縦長のレンズ４０が上下方向で貫通するように設けられている。このレンズ４０はＬＥＤチップ５０からの光を直接導き、その上端部がペダル部１０の上面と一体になるように加工されている。
【００１５】
また、ペダル部１０を踏み込んだ時に、基板１００上に設けられたスイッチ６０をオン状態とするために、このスイッチ６０に対応するペダル部１０側の位置には、半球面上の突起１２が設けられている。図２（ａ）、（ｂ）を比較すれば分かるようにペダル部１０が踏み込まれた時にこの突起１２がスイッチ６０の上面に当接してスイッチをオン状態とする構成とされている。
【００１６】
さらに、この装置１の手前側（図１において下側、図２において左側）の筐体内部には、筐体内面に固定され右方向に延びる平面部を有する部材８０が設けられ、この部材８０の平面上には平面視長方形状の開口部８１が形成されている。そして、この部材８０の上面の半球型の突起８７と、ペダル部１０の内部において突起８７と対応する位置に設けた突起１６とでバネ７０を挟み込んだ構成としている。このバネ７０の弾性力によって、ペダル部１０が踏み込まれた状態から元の状態に復帰させるように構成されている。さらに、ペダル部１０の踵側端部の下先端には返し１４を設けている。ペダル部１０を踏み込まない状態では、この返し１４は部材８０の裏面に引っ掛かる一方、ペダル部１０を踏み込んだ状態では、この返し１４は開口部８１を利用して装置下側に移動し、バネ７０に充分な弾力（ペダル部１０を元の位置に戻す復帰力）を与えるようにされている。
【００１７】
ところで、この装置１に用いたレンズ４０は、ＬＥＤチップ５０からの光を散乱させるため、その下端をざらつかせる加工が施してあると共に、ＬＥＤチップ５０から入射された光の入射角がいかようになっても光を上方に導くための、いわゆるシボ処理を施している。そして、ＬＥＤチップ５０からの光がペダル部１０の踏む込み状態に係わらず点灯されていてこれを演奏者が視認容易に光学系が調整されている。つまり、レンズ形状、ＬＥＤチップ形状やその配置位置等が調整されている。
【００１８】
このように、ＬＥＤチップ５０からの光をペダル部１０のつま先側の位置（特定部分）に導くためのレンズ４０を備え、ペダル部１０の踏み込み状態がいかなる状態であっても、ＬＥＤ５０からの光をこの特定部分に導びくようにしたので、ペダル部１０の踏み込み状態に係わらずペダル部１０の踏み位置を視認容易とすることが可能となる。そして、このペダル部１０の１回の踏み込みが一度のスイッチオン動作になる。ＣＰＵ（不図示）が、例えば一回のスイッチオン動作により「１番」から「８０番」まで選択可能な音色プログラムの番号を「１」だけ変化させていき、選択された音色プログラム番号を表示器２０に表示して、楽音信号に所望のエフェクトを与えることや、両ペダル部を一緒に踏みこむとエフェクトの付与を解除制御すること等ができる。たとえ、周囲が暗いコンサートホール等においても、光によってペダル部１０の踏み位置が容易に把握できるようになる。
【００１９】
（チューニングモード）
図３はこのモードを選択した場合の説明図である。ＣＰＵ２００は、ＲＯＭ２１０に格納されているプログラムを実行し、この際ＲＡＭ２２０をワークエリア等として使用するように構成されている。また、ＣＰＵ２００は２つのＬＥＤチップ３００ａ、３００ｂを点灯制御可能に構成されている。そして、ＬＥＤチップ３００ａ、３００ｂは、それぞれペダル部１０ａ、ペダル部１０ｂの照明部（図１の４０ａ、４０ｂ）となっている。
【００２０】
まず、演奏者がチューニングモードを選択し楽器演奏を行う。楽器の一例としてギターが挙げられる。例えば、「ラ」の楽音信号が正確に「ラ」に対する周波数「４４０（Ｈｚ）」になるように楽器をチューニングする場合を想定する。
【００２１】
ＣＰＵ２００が楽音信号を受信しその周波数を検出する。この検出周波数が「４４０（Ｈｚ）」よりも高い場合にはＬＥＤチップ３００ｂを点滅制御すると共に、検出周波数が「４４０（Ｈｚ）」よりも低い場合にはＬＥＤチップ３００ａを点滅制御し、検出周波数が「４４０（Ｈｚ）」に一致した場合には、例えば、ＬＥＤチップ３００ａおよびＬＥＤ３００ｂの双方を点滅させずに、常時発光するように制御する。しかも、図４に示すように検出周波数と「４４０（Ｈｚ）」との周波数差が大きい程、点滅周波数を大きくし、この差が小さくなる程、点滅周波数を小さくするように点滅制御を行う。
【００２２】
したがって、入力される楽音信号の周波数と設定された周波数との差の大きさに応じてＬＥＤチップ３００を点滅制御する点滅制御モードに移行可能に構成することで、楽器のチューニングのガイダンス機能を持たせることが可能になる。
【産業上の利用可能性】
【００２３】
以上説明してきたように、ペダル部の踏み込み状態に係わらずペダル部の位置を視認容易とした音楽分野に適用可能な装置を提供することができる。
【図面の簡単な説明】
【００２４】
【図１】マルチエフェクタ１の平面図である。
【図２】図１におけるＡＡ断面の断面図である。
【図３】チューニングモードの動作説明を行うための構成図である。
【図４】チューニングモードの説明図である。
【符号の説明】
【００２５】
１０（１０ａ、１０ｂ）  ペダル部
２０  表示器
３０  つまみ
３５  つまみ  
４０（４０ａ、４０ｂ）  レンズ
５０  ＬＥＤチップ
６０  スイッチ
７０  バネ
１００  基板
２００  ＣＰＵ
２１０  ＲＯＭ
２２０  ＲＡＭ
３００（３００ａ、３００ｂ）  ＬＥＤチップ
【図１】
0004408109.tif 000002
【図２】
0004408109.tif 000003
【図３】
0004408109.tif 000004
【図４】
0004408109.tif 000005